(57)【要約】【課題】リム通水路内全体の容積空間を低減させることにより、リム吐水口によるリム吐水を効率良く行うことができる共に、便器設計の自由度を確保することができる水洗大便器を提供することを目的としている。【解決手段】リム通水路２４が、その入口部２４ａからリム部１８の内部を前方に向かって延びる上側部２４ｂと、この上側部２４ｂの下流端から下側に屈曲する屈曲部２４ｃと、この屈曲部２４ｃから後方に向かってリム吐水口２６まで延びる下側部２４ｄを備えていることにより、リム通水路２４内全体の容積空間を低減させることができる。【選択図】図４
2018188877.tif 000002
【特許請求の範囲】
【請求項１】
洗浄水源から供給される洗浄水によって洗浄されて汚物を排出する水洗大便器であって、
ボウル形状の汚物受け面と、この汚物受け面の上縁に形成されたリム部と、を備えたボウル部と、
このボウル部の下方に接続され汚物を排出する排水路と、
上記リム部に設けられて上記ボウル部内に洗浄水を吐水して旋回流を形成するリム吐水部と、
上記洗浄水源から供給される洗浄水を上記リム吐水部に供給する導水路と、を有し、
上記ボウル部は、上記ボウル部を前後方向に二等分する左右方向に延びる中心線に対して前方側である前方側領域と後方側である後方側領域と、を備え、
上記リム吐水部は、上記ボウル部の前方側領域内の左右の何れか一方の側の上記リム部に上記導水路から供給された洗浄水が通水するリム通水路を形成すると共に、このリム通水路の下流端に洗浄水を後方に向けて吐水するリム吐水口を形成し、
上記リム通水路は、その入口部から上記リム部の内部を前方に向かって延びる上側部と、この上側部の下流端から下側に屈曲する屈曲部と、この屈曲部から後方に向かって上記リム吐水口まで延びる下側部と、を備えていることを特徴とする水洗大便器。
【請求項２】
上記リム通水路の上記下側部の流路断面の幅寸法（ｈ）は、上記上側部の流路断面の幅寸法（Ｈ）よりも小さくなるように設定されている請求項１記載の水洗大便器。
【請求項３】
上記リム吐水口は、その開口断面が三角形状に形成されており、この三角形状の上記リム吐水口の一辺がオーバーハング部を形成している請求項１又は２に記載の水洗大便器。
【請求項４】
上記上側部には、上記導水路から供給された洗浄水を下流側へ案内するガイド壁部が形成されている請求項１乃至３の何れか１項に記載の水洗大便器。
【発明の詳細な説明】
【技術分野】
【０００１】
本発明は、水洗大便器に係り、特に、洗浄水源から供給される洗浄水によって洗浄されて汚物を排出する水洗大便器に関する。
【背景技術】
【０００２】
従来から、洗浄水源から供給される洗浄水によって洗浄されて汚物を排出する水洗大便器として、例えば、特許文献１に記載されているように、ボウル部の側方のリム部における前後方向の中間領域、或いはそれよりも後方領域の１箇所に後方へ向けて吐水する吐水口（リム吐水口）が配置されているものが知られている。
このような水洗大便器においては、ボウル部の後方側の導水路から洗浄水が供給される通水路（リム通水路）が、ボウル部の左右方向の一方側のリム部の内部に形成されており、このリム通水路は、ボウル部の前端部付近のリム部を経てボウル部の左右方向の他方側のリム部の吐水口（リム吐水口）までリム部の周方向の形状に沿って形成されている。
【０００３】
また、特許文献２に記載されているように、吐水口（リム吐水口）がボウル部の側方のリム部における前方領域に配置されると共に、ボウル部の後方側の洗浄水源から吐水口（リム吐水口）まで洗浄水管路が前後方向に延びており、洗浄水源から洗浄水管路を経て吐水口に供給された洗浄水を後方へ向けて吐水するようになっている水洗大便器についても知られている。
【先行技術文献】
【特許文献】
【０００４】
【特許文献１】特開２０１０−２５５３１６号公報
【特許文献２】特開２０００−２６５５２５号公報
【発明の概要】
【発明が解決しようとする課題】
【０００５】
しかしながら、上述した特許文献１に記載されている従来の水洗大便器では、リム通水路は、ボウル部の前端部付近のリム部を経てボウル部の左右方向の他方側のリム部の吐水口までリム部の周方向の形状に沿って形成されていることにより、リム通水路の全長が長くなるため、その分、リム通水路内全体の容積空間も大きく、通水時のリム通水路内における洗浄水以外のエア空間も大きくなる。
したがって、リム通水路内全体の容積空間が大きくなる程、リム通水路内を満水にするまでの時間が長くなり、吐水口から所定の流量の洗浄水を供給できるまでに時間がかかるため、リム吐水口から吐水されるリム吐水の効率を低下させるおそれがあるという問題がある。
また、通水時にリム通水路内の空気を巻き込むことに起因する異音の発生を生じやすくなるという問題もある。特に、リム吐水口が１つの水洗大便器においては、リム吐水口が複数ある水洗大便器に比べてリム通水路内の空気の逃げ道が少ないため、リム通水路内の空気の巻き込みに起因する異音の発生が特に生じやすい。
さらに、リム通水路がボウル部の前端部付近に形成されることにより、便器のボウル部やリム部の形状等に関する便器設計の自由度を低下させるおそれもあるという問題もある。
【０００６】
同様に、上述した特許文献２に記載されている従来の水洗大便器においても、ボウル部の後方側の洗浄水源から吐水口（リム吐水口）まで洗浄水管路が前後方向に延びていることにより、洗浄水管路の全長が長くなり、その分、洗浄水管路内全体の容積空間も大きくなる。
したがって、洗浄水管路内を通過する洗浄水が通水路を満水にするまで時間が長くなり、所定の流量になるまでに時間がかかるため、吐水口（リム吐水口）から吐水されるリム吐水の効率を低下させるおそれがあるという問題がある。また、通水時に洗浄水管路内の空気を巻き込むことに起因する異音の発生を生じやすいという問題や、吐水口（リム吐水口）がボウル部の側方のリム部における前方領域に配置されることにより、便器のボウル部やリム部の形状等に関する便器設計の自由度を低下させるおそれもあるという問題もある。
【０００７】
そこで、本発明は、上述した従来技術の問題を解決するためになされたものであり、リム通水路内全体の容積空間を低減させることにより、リム吐水口によるリム吐水を効率良く行うことができる共に、便器設計の自由度を確保することができる水洗大便器を提供することを目的としている。
【課題を解決するための手段】
【０００８】
上述した目的を達成するために、本発明は、洗浄水源から供給される洗浄水によって洗浄されて汚物を排出する水洗大便器であって、ボウル形状の汚物受け面と、この汚物受け面の上縁に形成されたリム部と、を備えたボウル部と、このボウル部の下方に接続され汚物を排出する排水路と、上記リム部に設けられて上記ボウル部内に洗浄水を吐水して旋回流を形成するリム吐水部と、上記洗浄水源から供給される洗浄水を上記リム吐水部に供給する導水路と、を有し、上記ボウル部は、上記ボウル部を前後方向に二等分する左右方向に延びる中心線に対して前方側である前方側領域と後方側である後方側領域と、を備え、上記リム吐水部は、上記ボウル部の前方側領域内の左右の何れか一方の側の上記リム部に上記導水路から供給された洗浄水が通水するリム通水路を形成すると共に、このリム通水路の下流端に洗浄水を後方に向けて吐水するリム吐水口を形成し、上記リム通水路は、その入口部から上記リム部の内部を前方に向かって延びる上側部と、この上側部の下流端から下側に屈曲する屈曲部と、この屈曲部から後方に向かって上記リム吐水口まで延びる下側部と、を備えていることを特徴とする。
【０００９】
このように構成された本発明においては、ボウル部のリム部に設けられてボウル部内に洗浄水を吐水して旋回流を形成するリム吐水部が、ボウル部の前方側領域内の左右の何れか一方の側のリム部に導水路から供給された洗浄水が通水するリム通水路を形成すると共に、このリム通水路の下流端に洗浄水を後方に向けて吐水するリム吐水口を形成し、リム通水路が、その入口部からリム部の内部を前方に向かって延びる上側部と、この上側部の下流端から下側に屈曲する屈曲部と、この屈曲部から後方に向かってリム吐水口まで延びる下側部と、を備えていることにより、リム通水路内全体の容積空間を低減させることができるため、導水路からリム通水路内に洗浄水が供給された際に、リム通水路内の容積空間を通水する洗浄水で速やかに満たすことができる。
したがって、通水時のリム通水路内における洗浄水以外のエア空間を減らすことができ、リム吐水口によるリム吐水を効率良く行うことができる。
また、通水時にリム通水路内の空気を巻き込むことに起因する異音の発生を生じ難くすることができる。
さらに、ボウル部の前端部付近のリム部を経てボウル部の左右方向の他方側のリム部の吐水口までリム部の周方向の形状に沿って形成されている場合に比べ、ボウル部の前端部付近のリム部の形状等に関する便器設計の自由度を確保することができる。
【００１０】
本発明において、好ましくは、上記リム通水路の上記下側部の流路断面の幅寸法（ｈ）は、上記上側部の流路断面の幅寸法（Ｈ）よりも小さくなるように設定されている。
【００１１】
このように構成された本発明においては、リム通水路の下側部の流路断面の幅寸法（ｈ）が、リム通水路の上側部の流路断面の幅寸法（Ｈ）よりも小さくなるように設定されているため、例えば、リム通水路内の壁面の摩擦抵抗等を低減させるために、リム通水路の流路断面がリム通水路の上流端から下流端までの全域で、ほぼ同一の円形断面若しくは縦横比がほぼ同一の断面によって形成されたリム通水路に比べて、リム吐水部に要するリム部全体の高さ等の大きさを効果的に小さく設定することができる。
したがって、通水時のリム通水路内における洗浄水以外のエア空間を減らすことができ、リム吐水口によるリム吐水をより効率良く行うことができる。
また、通水時にリム通水路内の空気を巻き込むことに起因する異音の発生を生じ難くすることができる。
さらに、ボウル部の前端部付近のリム部を経てボウル部の左右方向の他方側のリム部の吐水口までリム部の周方向の形状に沿って形成されている場合に比べ、ボウル部の前端部付近のリム部の形状等に関する便器設計の自由度を確保することができる。
【００１２】
本発明において、好ましくは、上記リム吐水口は、その開口断面が三角形状に形成されており、この三角形状の上記リム吐水口の一辺がオーバーハング部を形成している。
【００１３】
このように構成された本発明においては、リム吐水口の開口断面が三角形状に形成されており、この三角形状のリム吐水口の一辺がオーバーハング部を形成していることにより、例えば、開口断面が矩形形状に形成されているリム吐水口で且つ三角形状のリム吐水口の開口断面の幅と同一幅であるものに比べて、オーバーハング部の領域を小さくすることができる。
また、リム吐水口から吐水されたリム吐水がオーバーハング部に接触することによる水の飛び散りやリム吐水の圧力損失を抑制することができる。
【００１４】
本発明において、好ましくは、上記上側部には、上記導水路から供給された洗浄水を下流側へ案内するガイド壁部が形成されている。
【００１５】
このように構成された本発明においては、リム通水路の上側部には、導水路から供給された洗浄水を案内するガイド壁部が形成されていることにより、導水路からリム通水路の上側部に供給された洗浄水は、ガイド壁部に衝突することによりガイド壁部の周辺領域である程度の量の洗浄水が一旦溜められた後、このある程度溜められた洗浄水について、ガイド壁部により、勢いが高めた状態で下流側に案内することができる。また、ガイド壁部により、通水時のリム通水路の上側部内における洗浄水以外のエア空間を減らすことができるため、リム通水路内全体の容積空間を低減させることができ、リム吐水口によるリム吐水を効率良く行うことができる。
【発明の効果】
【００１６】
本発明の水洗大便器によれば、リム通水路内全体の容積空間を低減させることにより、リム吐水口によるリム吐水を効率良く行うことができる共に、便器設計の自由度を確保することができる。
【図面の簡単な説明】
【００１７】
【図１】本発明の第１実施形態による水洗大便器を示す斜視図であり、便蓋及び便座を上方位置まで回動させた状態を示す。
【図２】本発明の第１実施形態による水洗大便器における左右方向の中央断面を左側から見た断面図であり、便蓋及び便座を下方位置まで回動させた状態を示す。
【図３】図１に示す本発明の第１実施形態による水洗大便器の便器本体部分を示す部分平面図である。
【図４】図３に示す本発明の第１実施形態による水洗大便器の便器本体部分において、リム部の内部に形成されるリム通水路の部分を示した便器本体の側視図である。
【図５Ａ】図４に示すリム通水路のＡ断面である。
【図５Ｂ】図４に示すリム通水路のＢ断面である。
【図６】図２に示す本発明の第１実施形態による水洗大便器において、リム吐水口の下流側近傍の通水路の部分を拡大した部分拡大側面部である。
【図７】図６のＶＩＩ−ＶＩＩ線に沿った断面図である。
【図８】図６のＶＩＩＩ−ＶＩＩＩ線に沿った断面図である。
【図９Ａ】本発明の第１実施形態による水洗大便器のリム吐水口の下流側近傍の通水路におけるリム吐水口から周方向下流側の距離（ｘ）とオーバーハング部の高さ寸法（Ｕ）との関係を定性的に示した図である。
【図９Ｂ】本発明の第１実施形態による水洗大便器のリム吐水口の下流側近傍の通水路におけるリム吐水口から周方向下流側の距離（ｘ）と棚面からオーバーハング部の下端までの最大高さ寸法（Ｌ）との関係を定性的に示した図である。
【図９Ｃ】本発明の第１実施形態による水洗大便器のリム吐水口の下流側近傍の通水路におけるリム吐水口から周方向下流側の距離（ｘ）とリム吐水口の下流側の通水路の横幅（Ｗ）との関係を定性的に示した図である。
【図１０】図３のＸ−Ｘ線に沿った断面図である。
【図１１】図３のＸＩ−ＸＩ線に沿った断面図である。
【図１２Ａ】本発明の第１実施形態による水洗大便器において、ボウル部の直線部と曲がり部とを緩和曲線で接続した場合におけるリム吐水口からの周方向下流側の距離（ｘ）と曲率（１／ρ）の変化を定性的に示した図である。
【図１２Ｂ】図１２Ａに示す本発明の第１実施形態による水洗大便器に対する比較例であり、ボウル部の直線部と曲がり部とを直線に正接する曲線で接続した場合におけるリム吐水口からの周方向下流側の距離（ｘ）と曲率（１／ρ）の変化を定性的に示した図である。
【図１３】本発明の第２実施形態による水洗大便器におけるリム吐水口付近の横断面部分（リム吐水口とその下流側の通水路の流路断面部分）を概略的に示す概略断面図である。
【図１４】本発明の第３実施形態による水洗大便器の便器本体部分において、リム部の内部に形成されるリム通水路の部分を拡大した部分拡大平面図である。
【発明を実施するための形態】
【００１８】
つぎに、図１〜図１２Ｂを参照して、本発明の第１実施形態による水洗大便器について説明する。
まず、図１は、本発明の第１実施形態による水洗大便器を示す斜視図であり、便蓋及び便座を上方位置まで回動させた状態を示す。また、図２は、本発明の第１実施形態による水洗大便器における左右方向の中央断面を左側から見た断面図であり、便蓋及び便座を下方位置まで回動させた状態を示す。さらに、図３は、図１に示す本発明の第１実施形態による水洗大便器の便器本体部分を示す部分平面図である。
【００１９】
図１〜図３に示すように、本発明の第１実施形態による水洗大便器１は、陶器製の便器本体２と、この便器本体２の上面に上下方向に回動可能に配置された便座４と、この便座４を覆うように上下方向に回動可能に配置された便蓋６と、便器本体２の後方に配置された機能部８とを備えている。
また、図２に示すように、機能部８は、便器本体２の後方上部に配置されて、使用者の局部を洗浄する衛生洗浄部として機能する衛生洗浄系機能部１０と、この衛生洗浄系機能部１０に近接して配置されて、便器本体２への給水機能に関与する給水系機能部１２とを備えている。
【００２０】
つぎに、図１〜図３に示すように、便器本体２は、ボウル形状の汚物受け面１４と、この汚物受け面１４の上縁の棚面１６から立ち上がるように形成されたリム部１８とを備えたボウル部２０を備えている。
また、図２に示すように、便器本体２は、ボウル部２０の下方に入口部２２ａが接続されて、ボウル部２０内の汚物を排出する排水路である排水トラップ管路２２を備えている。
【００２１】
つぎに、図３に示すように、ボウル部２０は、前後方向に二等分する左右方向に延びる中心線Ｃ１に対して前方側である前方側領域Ｆ１と後方側である後方側領域Ｒ１を備えており、このボウル部２０の前方側領域Ｆ１内の左右の一方の側のリム部１８、すなわち、便器本体２の前方から見てボウル部２０の前方側領域Ｆ１内の右側のリム部１８の内部には、リム吐水部の一部であるリム通水路２４（詳細は後述する）が形成されている。
また、このリム通水路２４の下流端には、リム吐水部の一部であるリム吐水口２６（詳細は後述する）が形成されている。
さらに、図３に示すように、リム通水路２４の上流側は、洗浄水源である水道（図示せず）から供給される洗浄水をリム通水路２４に供給する導水路である導水管２８に接続されている。この導水管２８の上流側は、洗浄水源である水道（図示せず）に直結されており、この水道の給水圧力を利用して、導水管２８からリム通水路２４内に供給された洗浄水は、リム通水路２４内で前方へ導かれ、その後、下側且つ後方側に屈曲し、下流側のリム吐水口２６まで導かれるようになっている。
そして、リム吐水口２６に導かれた洗浄水は、後方に向けて吐水（リム吐水）され、リム吐水口２６の下流側近傍に形成される通水路３０（詳細は後述する）を経てボウル部２０内を旋回することにより、ボウル部２０内に旋回流が形成されるようになっている。
なお、リム部１８に設けられ洗浄水を吐水してボウル部２０内に旋回流を形成する吐水口は、リム吐水口２６のみである。
【００２２】
なお、本実施形態の水洗大便器１においては、リム吐水部であるリム通水路２４及びリム吐水口２６について、便器本体２の前方から見てボウル部２０の前方側領域Ｆ１内の右側のリム部１８の内部に配置した形態について説明するが、このような形態に限定されず、リム吐水口を便器本体２の前方から見てボウル部２０の前方側領域Ｆ１内の左側のリム部１８に配置して後方に向けてリム吐水を行うようにしてもよい。
要するに、リム吐水部であるリム通水路及びリム吐水口ついては、ボウル部２０の前方側領域Ｆ１内の左右の何れか一方の側のリム部１８に配置して後方に向けてリム吐水を行うような形態であればよい。
また、本実施形態の水洗大便器１においては、リム吐水部であるリム通水路２４及びリム吐水口２６は、陶器を加工することで便器本体２に一体に形成されているが、例えば、樹脂等で便器本体２とは別体として形成し、便器本体２に取り付ける構成としてもよい。
【００２３】
さらに、図２に示すように、ボウル部２０の底部には、排水トラップ管路２２の入口部２２ａに差し向けられるようにジェット吐水口３２が形成されている。このジェット吐水口３２による吐水（ジェット吐水）に関しては、給水系機能部１２に設けられている貯水タンク３４に貯水された洗浄水が、給水系機能部１２の加圧ポンプ３６によって加圧されて、ジェット吐水口３２から吐出されるようになっている。
また、ジェット吐水口３２から吐出された洗浄水は、排水トラップ管路２２の入口部２２ａから、この入口部２２ａの後方側の上昇管路２２ｂ内に流入した後、この上昇管路２２ｂ内を排水トラップ管路２２の頂部２２ｃから下降管路２２ｄに流出するようになっている。
【００２４】
ここで、衛生洗浄系機能部１０及び給水系機能部１２のそれぞれの具体的な構造については、従来のものと同様であるため、詳細な説明については省略するが、衛生洗浄系機能部１０には、ボウル部２０の上方の使用者に向けて洗浄水を噴射するノズル装置（図示せず）を含む局部洗浄装置（図示せず）が設けられている。
その他、衛生洗浄系機能部１０には、局部洗浄装置（図示せず）に供給される洗浄水を貯水する貯水部（図示せず）、この貯水部（図示せず）内の洗浄水を適温に温めて温水にする加熱器（図示せず）、換気ファン（図示せず）、脱臭ファン（図示せず）、温風ファン（図示せず）、及び、これらの機器の作動を制御するコントローラ（図示せず）等が設けられている。
一方、給水系機能部１２の給水路（図示せず）は、その上流側が給水源である水道（図示せず）に接続されており、貯水タンク（図示せず）の上流側の給水路には、定流量弁（図示せず）、電磁弁（図示せず）、貯水タンク（図示せず）への給水とリム吐水口２６への吐水とを切り替える切替弁（図示せず）等が設けられている。また、給水系機能部１２には、これら以外にも、電磁弁（図示せず）の開閉操作、切替弁（図示せず）の切替操作、及び、加圧ポンプ（図示せず）の回転数や作動時間等を制御するコントローラ（図示せず）等が設けられている。
【００２５】
なお、本実施形態による水洗大便器１においては、リム吐水口２６によるリム吐水について水道の給水圧力を利用して行い、ジェット吐水口３２によるジェット吐水について加圧ポンプ（図示せず）を制御することにより貯水タンク（図示せず）内の洗浄水を供給する、いわゆる、ハイブリット式の水洗大便器の形態について説明するが、このような形態に限られず、他の形態についても適用可能である。すなわち、他の形態として、水道のみから直接的に供給される洗浄水について、バルブを切り替えることによってリム吐水口２６によるリム吐水とジェット吐水口３２によるジェット吐水とを切り替えるような形態であってもよいし、貯水タンク内の洗浄水について、ポンプのみを切り替えることによって、リム吐水口２６によるリム吐水とジェット吐水口３２によるジェット吐水とを切り替えるような形態であってもよい。
【００２６】
つぎに、図１〜図５Ｂを参照して、本発明の第１実施形態による水洗大便器１のリム通水路２４及びリム吐水口２６の詳細について説明する。
図４は、図３に示す本発明の第１実施形態による水洗大便器の便器本体部分において、リム部の内部に形成されるリム通水路の部分を示した便器本体の側視図である。
また、図５Ａは、図４に示すリム通水路のＡ断面であり、図５Ｂは、図４に示すリム通水路のＢ断面である。
【００２７】
まず、図４に示すように、リム通水路２４は、導水管２８に接続される入口部２４ａからリム部１８の内部を前方に向かって延びる上側部２４ｂと、この上側部２４ｂの下流端から下側に屈曲する屈曲部２４ｃと、この屈曲部２４ｃから後方に向かってリム吐水口２６まで延びる下側部２４ｄとを備えている。
【００２８】
また、図５Ａ，図５Ｂに示すように、リム通水路２４の上側部２４ｂの最大幅をＨとし、リム通水路２４の下側部２４ｄの流路断面の最大幅をｈとすると、リム通水路２４の下側部２４ｄの各流路断面の最大幅寸法ｈ１は、リム通水路２４の上側部２４ｂの各流路断面の各最大幅寸法Ｈ１，Ｈ２よりも小さくなるように設定されている。
これにより、例えば、本発明とは異なる水洗大便器において、リム通水路内の壁面の摩擦抵抗等を低減させるために、リム通水路の流路断面がリム通水路の上流端から下流端までの全域で、ほぼ同一の円形断面若しくは縦横比がほぼ同一の断面によって形成されたリム通水路に比べて、本実施形態の水洗大便器１では、リム吐水部であるリム通水路２４やリム吐水口２６に要するリム部１８全体の高さ等の大きさを効果的に小さく設定することができるようになっている。
したがって、通水時のリム通水路２４内における洗浄水以外のエア空間を減らすことができ、リム吐水口２６によるリム吐水を効率良く行うことができるようになっている。
また、通水時にリム通水路２４内の空気を巻き込むことに起因する異音の発生を生じ難くすることができるようになっている。
さらに、リム通水路２４内全体の容積空間を低減させることにより、リム通水路２４の上側部２４ｂから屈曲部２４ｃを経て下側部２４ｄへ屈曲させるリム通水路２４の周辺スペースにゆとりを持たせることができるため、リム通水路２４内の洗浄水の圧力損失を抑制することができると共に、ボウル部２０のリム部１８の形状等に関する便器設計の自由度を確保することができるようになっている。
【００２９】
つぎに、図６〜図９Ｃを参照して、本発明の第１実施形態による水洗大便器１のリム吐水口２６の下流側近傍に形成される通水路３０の詳細について説明する。
図６は、図２に示す本発明の第１実施形態による水洗大便器において、リム吐水口の下流側近傍の通水路の部分を拡大した部分拡大側面部であり、図７は、図６のＶＩＩ−ＶＩＩ線に沿った断面図であり、図８は、図６のＶＩＩＩ−ＶＩＩＩ線に沿った断面図である。
また、図９Ａは、本発明の第１実施形態による水洗大便器のリム吐水口の下流側近傍の通水路におけるリム吐水口から周方向下流側の距離（ｘ）とオーバーハング部の高さ寸法（Ｕ）との関係を定性的に示した図であり、図９Ｂは、本発明の第１実施形態による水洗大便器のリム吐水口の下流側近傍の通水路におけるリム吐水口から周方向下流側の距離（ｘ）と棚面からオーバーハング部の下端までの最大高さ寸法（Ｌ）との関係を定性的に示した図であり、図９Ｃは、本発明の第１実施形態による水洗大便器のリム吐水口の下流側近傍の通水路におけるリム吐水口から周方向下流側の距離（ｘ）とリム吐水口の下流側の通水路の横幅（Ｗ）との関係を定性的に示した図である。
【００３０】
まず、図６〜図８に示すように、リム吐水口２６の下流端からボウル部２０の曲がり部５０（詳細は後述する）、すなわち、リム吐水口２６の下流側近傍に形成される通水路３０は、リム部１８の内周面４６、このリム部１８の内周面４６の下方側に形成される棚面１６、及び、内周面４６の上方側に形成されるオーバーハング部４８により流路断面Ｇを形成している。
なお、リム部１８の全周の中で、通水路３０においてのみオーバーハング形状が形成され、通水路３０を除くリム部１８の内周面は、鉛直方向に切った断面において上下方向に直線状に延びるように形成されオーバーハング部４８のようなオーバーハング形状を備えない。
また、図６〜図９Ｃに示すように、通水路３０は、リム吐水口２６から下流側に向かって流路断面Ｇの断面積Ａ０がほぼ一定になるように、流路断面Ｇは、その最大高さ寸法Ｌが下流側程大きく設定されると共に、その横幅Ｗが下流側程小さく設定されている。
すなわち、例えば、図８に示す通水路３０のオーバーハング部４８の上下方向の最小厚みＵ２については、流路断面Ｇの断面積Ａ０がほぼ一定になるように、図７に示す通水路３０のオーバーハング部４８の上下方向の最小厚みＵ１よりも小さくなっている。
【００３１】
また、図８に示す流路断面Ｇ２の通水路３０の上下方向の最大高さ寸法Ｌ２については、流路断面Ｇの断面積Ａ０がほぼ一定になるように、図７に示す通水路３０の流路断面Ｇ１の上下方向の最大高さ寸法Ｌ１よりも大きくなっている。
ここで、「断面積Ａ０がほぼ一定」とは、完全な一定のみならず、リム吐水口２６から吐水された後のリム吐水口２６の下流側の通水路３０の流路断面Ｇを通過するリム吐水が、乱れが抑制されて通水路３０内に沿って下流側に流れることができ、下流側のボウル部２０内で安定した旋回流を効果的に形成することができる、おおよそ一定も含むものである。
さらに、図８に示す流路断面Ｇ２の通水路３０の横幅Ｗ２については、流路断面Ｇの断面積Ａ０が一定になるように、図７に示す通水路３０の流路断面Ｇ１の通水路３０の横幅Ｗ１よりも小さくなっている。
さらに、図７及び図８に示すように、通水路３０の流路断面Ｇを形成する棚面１６は、その高さ位置Ｐ１がリム吐水口２６から下流側に向かってほぼ一定の高さ位置になるように形成されている。
ここで、「ほぼ一定の高さ位置」とは、完全な一定のみならず、リム吐水口２６から吐水された後のリム吐水口２６の下流側の通水路３０の流路断面Ｇを通過するリム吐水が、乱れることを抑制されて通水路３０内に沿って下流側に流れることができ、下流側のボウル部２０内で安定した旋回流を効果的に形成することができる、おおよそ一定も含むものである。
【００３２】
これらにより、リム吐水口２６から吐水された後の通水路３０の流路断面Ｇを通過するリム吐水は、乱れることが抑制されて通水路３０内に沿って下流側に流れることができ、下流側のボウル部２０内で安定した旋回流を効果的に形成することができるようになっている。
さらに、リム吐水口２６から吐水された洗浄水について、その下流側の通水路３０に沿わせて下流側に安定した流れを形成することにより、洗浄水の飛び散りを防ぐこともできるため、ボウル部２０の視認性や清掃性を効果的に高めることができるようになっている。
【００３３】
なお、図７及び図８に示すように、通水路３０の流路断面Ｇにおけるオーバーハング部４８の最小高さ寸法であるオーバーハング部４８の上下方向の最小厚みＵと、棚面１６からオーバーハング部４８の下端まで最大高さ寸法である通水路３０の上下方向の最大高さ寸法Ｌとの比率（Ｕ：Ｌ）は、１：６〜６：１に設定されていることが好ましく、１：３〜３：１に設定されていることが最も好ましい。
【００３４】
また、図３に示すように、ボウル部２０内の右後方側の領域で且つ通水路３０の下流側に形成されるリム部１８の内周壁は、リム吐水口２６から周方向下流側に向かう距離（ｘ）に応じて曲率（１／ρ）が小から大に変化する（言い換えると、曲率半径ρが大から小に変化する）曲がり部５０を形成している。すなわち、この曲がり部５０は、図３に示す平面視で曲率（１／ρ）が小から大に一定の比率で変化する（言い換えると、曲率半径ρが大から小に一定の割合で変化する）クロソイド曲線等の緩和曲線５２によって形成されている。
同様に、図３に示すように、ボウル部２０内の前方側の領域のリム部１８の内周壁についても、リム吐水口２６から周方向下流側に向かう距離（ｘ）に応じてリム部１８の左後方側から前方に向かって曲率（１／ρ）が小から大に変化する（言い換えると、曲率半径ρが大から小に変化する）曲がり部５４を形成している。この曲がり部５４は、図３に示す平面視で曲率（１／ρ）が小から大に一定の比率で変化する（言い換えると、曲率半径ρが大から小に一定の比率で変化する）クロソイド曲線等の緩和曲線５６によって形成されている。
これらにより、リム吐水口２６から吐水された洗浄水が、まず、曲がり部５０に沿って旋回する際に、洗浄水に対して急激な遠心力の変化が発生することを効果的に抑制することができ、ボウル部２０内の洗浄効率を向上させることができるようになっている。
さらに、曲がり部５０に沿って旋回した洗浄水は、リム部１８の内周壁に沿ってボウル部２０内の後方側領域を通過して周方向下流側に旋回した後、曲がり部５４に沿ってボウル部２０内の前方側領域を旋回するようになっているが、この曲がり部５４を旋回する際に、洗浄水に対して急激な遠心力の変化が発生することを効果的に抑制することができ、ボウル部２０内の洗浄効率を向上させることができるようになっている。
なお、本実施形態の水洗大便器１においては、リム部１８の内周壁が形成する各曲がり部５０，５４のそれぞれの緩和曲線５２，５６について、曲率が一定の比率で変化するクロソイド曲線を採用した例について説明するが、緩和曲線としては、クロソイド曲線以外の緩和曲線であるサイン半波長低減曲線等を採用してもよい。
【００３５】
つぎに、図３及び図１０〜図１２Ｂを参照して、本発明の第１実施形態による水洗大便器１のボウル部２０における平面視で緩和曲線５２，５６によって形成された曲がり部５０，５４の詳細について説明する。
ここで、図１０は、図３のＸ−Ｘ線に沿った断面図であり、図１１は、図３のＸＩ−ＸＩ線に沿った断面図である。
また、図１２Ａは、本発明の第１実施形態による水洗大便器において、ボウル部の直線部と曲がり部とを緩和曲線で接続した場合におけるリム吐水口からの周方向下流側の距離（ｘ）と曲率（１／ρ）の変化を定性的に示した図であり、図１２Ｂは、図１２Ａに示す本発明の第１実施形態による水洗大便器に対する比較例であり、ボウル部の直線部と曲がり部とを直線に正接する曲線で接続した場合におけるリム吐水口からの周方向下流側の距離（ｘ）と曲率（１／ρ）の変化を定性的に示した図である。
【００３６】
まず、図３、図１０及び図１１に示すように、ボウル部２０は、各緩和曲線５２，５６によって形成された曲がり部５０，５４に棚面１６を形成し、この棚面１６の横幅Ｗ３は、ボウル部２０の周方向に沿ってほぼ一定である。
なお、ここでいう「ほぼ一定」とは、完全な一定のみならず、リム通水路２４のリム吐水口２６から吐水された洗浄水が曲がり部５０，５４の棚面１６に沿って旋回する際に、洗浄水に対して急激な遠心力の変化が発生することをより効果的に抑制することができる、おおよそ一定も含むものである。
また、図１１及び図１２に示すように、ボウル部２０の各緩和曲線５２，５６によって形成された曲がり部５０，５４のそれぞれの棚面１６は、水平面に対してそれぞれ傾斜角度α１，α２で形成されている。
ここで、傾斜角度α１の大きさについては、０°〜１５°に設定されることが好ましく、２°〜８°に設定されることが最も好ましい。
また、傾斜角度α２の大きさについては、傾斜角度α１の大きさよりも大きく設定されており、３°〜６０°に設定されることが好ましく、５°〜３０°に設定されることが最も好ましい。
これらにより、リム吐水口２６から吐水された洗浄水が曲がり部５０，５４の棚面１６に沿って旋回する際に、洗浄水に対して急激な遠心力の変化が発生することをより効果的に抑制することができるため、ボウル部２０内の洗浄効率をより良く向上させることができるようになっている。
【００３７】
また、図１２Ａに示すように、本実施形態の水洗大便器１において、ボウル部２０のほぼ直線状である直線部と曲がり部とを緩和曲線で接続した場合には、リム吐水口２６からの周方向下流側の距離ｘが０からｘ１（例えば、ｘ１＝５０ｍｍ）までの区間では、曲率１／ρが一定のａ（例えば、ρ１＝８００ｍｍ、ａ＝１／ρ１＝０．００１２５［１／ｍｍ］）となり、ほぼ直線状である直線部を形成する区間となる。
つぎに、図１２Ａに示すように、距離ｘがｘ１からｘ２（例えば、ｘ２＝２００ｍｍ）までの区間では、曲率１／ρがａ〜ｂ（例えば、ρ１＝８００ｍｍ、ａ＝１／ρ１＝０．００１２５、ρ２＝１５０ｍｍ、ｂ＝１／ρ２＝０．００６６７［１／ｍｍ］）まで一定の比率で変化する緩和曲線によって曲がり部を形成する区間（緩和曲線区間）となる。
また、図１２Ａに示すように、距離ｘがｘ２からｘ３（例えば、ｘ３＝３８０ｍｍ）までの区間では、曲率１／ρ２が一定のｂ（例えば、ρ２＝１５０ｍｍ、ｂ＝１／ρ２＝０．００６６７［１／ｍｍ］）となり、曲率がほぼ一定の曲がり部を形成する区間となる。
【００３８】
一方、図１２Ｂに示すように、ボウル部の直線部と曲がり部とを直線に正接する曲線で接続した場合の比較例では、距離ｘがｘ４となる前後において、曲率１／ρが０（曲率半径ρ＝∞）からｃ（曲率半径ρ＝ρ３）に急激に変化することにより、リム吐水口から吐水された洗浄水が曲がり部の棚面に沿って旋回する際に、洗浄水に対して急激な遠心力の変化が本実施形態の水洗大便器１に比べて大きく発生することになり、ボウル部内の洗浄効率が低下することになる。
【００３９】
つぎに、上述した本発明の第１実施形態による水洗大便器１における作用について説明する。
まず、本発明の第１実施形態による水洗大便器１によれば、ボウル部２０のリム部１８に設けられてボウル部２０内に洗浄水を吐水して旋回流を形成するリム吐水部が、ボウル部２０の前方側領域Ｆ１内の右側のリム部１８の内部に導水管２８から供給された洗浄水が通水するリム通水路２４を形成すると共に、このリム通水路２４の下流端に洗浄水を後方に向けて吐水するリム吐水口２６を形成し、リム通水路２４が、その入口部２４ａからリム部１８の内部を前方に向かって延びる上側部２４ｂと、この上側部２４ｂの下流端から下側に屈曲する屈曲部２４ｃと、この屈曲部２４ｃから後方に向かってリム吐水口２６まで延びる下側部２４ｄを備えていることにより、リム通水路２４内全体の容積空間を低減させることができる。
したがって、導水管２８からリム通水路２４内に洗浄水が供給された際に、リム通水路２４内の容積空間を通水する洗浄水で速やかに満たすことができる。よって、通水時のリム通水路２４内における洗浄水以外のエア空間を減らすことができ、リム吐水口２６によるリム吐水を効率良く行うことができる。
また、通水時にリム通水路２４内の空気を巻き込むことに起因する異音の発生を生じ難くすることができる。
さらに、リム通水路がボウル部２０の前端部付近のリム部１８を経てボウル部２０の左右方向の他方側のリム部１８の吐水口までリム部の周方向の形状に沿って形成されている場合に比べ、ボウル部２０の前端部付近のリム部１８の形状等に関する便器設計の自由度を確保することができる。
【００４０】
つぎに、本実施形態による水洗大便器１によれば、リム通水路２４の下側部２４ｄの流路断面Ｅの幅寸法ｈ１が、リム通水路２４の上側部２４ｂの流路断面の幅寸法（Ｈ１，Ｈ２等）よりも小さくなるように設定されているため、例えば、リム通水路内の壁面の摩擦抵抗等を低減させるために、リム通水路の流路断面がリム通水路の上流端から下流端までの全域で、ほぼ同一の円形断面若しくは縦横比がほぼ同一の断面によって形成されたリム通水路に比べて、リム通水路２４やリム吐水口２６に要するリム部１８の全体の高さ等の大きさを効果的に小さく設定することができる。
したがって、通水時のリム通水路２４内における洗浄水以外のエア空間を減らすことができ、リム吐水口２６によるリム吐水をより効率良く行うことができる。
また、通水時にリム通水路２４内の空気を巻き込むことに起因する異音の発生を生じ難くすることができる。
さらに、リム通水路がボウル部２０の前端部付近のリム部１８を経てボウル部２０の左右方向の他方側のリム部１８の吐水口までリム部の周方向の形状に沿って形成されている場合に比べ、ボウル部２０の前端部付近のリム部１８の形状等に関する便器設計の自由度
を確保することができる。
【００４１】
つぎに、図１３を参照して、本発明の第２実施形態による水洗大便器について説明する。
図１３は、本発明の第２実施形態による水洗大便器におけるリム吐水口付近の横断面部分（リム吐水口とその下流側の通水路の流路断面部分）を概略的に示す概略断面図である。
ここで、図１３に示す本発明の第２実施形態による水洗大便器の便器本体部分においては、本発明の第１実施形態による水洗大便器１の便器本体部分と同一部分については同一の符号を付し、これらの説明については省略する。
なお、図１３においては、本発明の第２実施形態による水洗大便器２００に対する比較例として、本発明の第１実施形態による水洗大便器１のリム吐水口２６及びオーバーハング部４８の形状について鎖線で示している。
【００４２】
図１３に示すように、本発明の第２実施形態による水洗大便器２００においては、リム吐水口２２６の開口断面Ｅ２００が三角形状に形成されており、この三角形状のリム吐水口２２６のオーバーハング部２４８側の一辺である斜辺２２６ａがオーバーハング部２４８の一部を形成している。
これにより、本発明の第２実施形態による水洗大便器２００のリム吐水口２２６においては、例えば、図１３に示す本発明の第１実施形態による水洗大便器１における開口断面Ｅ１が矩形形状に形成され且つ本発明の第２実施形態による水洗大便器２００の三角形状のリム吐水口２２６の開口断面Ｅ２００の最大幅とほぼ同一幅であるリム吐水口２６に比べて、本発明の第２実施形態による水洗大便器２００のリム吐水口２２６の下流側の通水路２３０の上方のオーバーハング部２４８の領域について、本発明の第１実施形態による水洗大便器１のリム吐水口２６の下流側の通水路３０の上方のオーバーハング部４８の領域よりも小さくすることができるようになっている。
【００４３】
上述した本発明の第２実施形態による水洗大便器２００によれば、リム吐水口２２６の開口断面Ｅ２００が三角形状に形成されていることにより、リム吐水口２２６の下流側の通水路２３０の上方のオーバーハング部２４８の領域を小さくすることができる。
また、リム吐水口２２６の下流側の通水路２３０の上方のオーバーハング部２４８の領域を小さくすることにより、リム吐水口２２６から吐水されたリム吐水がオーバーハング部２４８に接触することによる水の飛び散りやリム吐水の圧力損失を抑制することができる。
【００４４】
つぎに、図１４を参照して、本発明の第３実施形態による水洗大便器について説明する。
図１４は、本発明の第３実施形態による水洗大便器の便器本体部分において、リム部の内部に形成されるリム通水路の部分を拡大した部分拡大平面図である。
ここで、図１４に示す本発明の第３実施形態による水洗大便器の便器本体部分において、図４に示す本発明の第１実施形態による水洗大便器１の便器本体部分と同一部分については同一の符号を付し、これらの説明については省略する。
【００４５】
図１４に示すように、本発明の第３実施形態による水洗大便器３００では、リム通水路２４の上側部２４ｂ内において、その外周面から内側に部分的に突出したガイド壁部３６０が形成されている。
このガイド壁部３６０は、リム通水路２４の入口部２４ａの前方に離間して且つこの入口部２４ａの流路断面と前後方向に対向するように形成された後壁部３６０ａと、この後壁部３６０ａの内側端部からリム通水路２４の上側部２４ｂ内の外側壁面３６２に向かって形成された側壁部３６０ｂとを備えている。
導水管２８からリム通水路２４の入口部２４ａを経て上側部２４ｂ内に供給された洗浄水は、その前方のガイド壁部３６０の後壁部３６０ａの壁面に衝突することにより、ガイド壁部３６０の後壁部３６０ａの周辺領域Ｒ３００にある程度の量の洗浄水が一旦溜められた後、ガイド壁部３６０の側壁部３６０ｂの壁面とリム通水路２４の上側部２４ｂ内の内側壁面３６４とによって狭められた流路を通過する流れ（縮流）により、勢いが高めた状態で下流側に案内されるようになっている点で、本発明の第１実施形態による水洗大便器１とは異なっている。
【００４６】
上述した本発明の第３実施形態による水洗大便器３００によれば、ガイド壁部３６０により、通水時のリム通水路２４の上側部２４ｂ内における洗浄水以外のエア空間を減らすことができるため、リム通水路２４内全体の容積空間を低減させることができ、リム吐水口２６によるリム吐水を効率良く行うことができる。
【符号の説明】
【００４７】
１        水洗大便器
２        便器本体
４        便座
６        便蓋
８        機能部
１０      衛生洗浄系機能部
１２      給水系機能部
１４      汚物受け面
１６      棚面
１８      リム部
２０      ボウル部
２２      排水トラップ管路（排水路）
２２ａ    入口部
２２ｂ    上昇管路
２２ｃ    頂部
２２ｄ    下降管路
２４      リム通水路（リム吐水部）
２４ａ    入口部
２４ｂ    上側部
２４ｃ    屈曲部
２４ｄ    下側部
２６      リム吐水口（リム吐水部）
２８      導水管（導水路）
３０      通水路
３２      ジェット吐水口
４６      リム部の内周面
４８      オーバーハング部
５０      曲がり部
５２      緩和曲線
５４      曲がり部
５６      緩和曲線
２００    水洗大便器
２２６    リム吐水口
２２６ａ  斜辺
２４８    オーバーハング部
２３０    通水路
３００    水洗大便器
３６０    ガイド壁部
３６０ａ  後壁部
３６０ｂ  側壁部
３６２    上側部の外側壁面
Ｃ１      中心線
Ｆ１      前方側領域
Ｒ１      後方側領域
【図１】
2018188877.tif 000003
【図２】
2018188877.tif 000004
【図３】
2018188877.tif 000005
【図４】
2018188877.tif 000006
【図５Ａ】
2018188877.tif 000007
【図５Ｂ】
2018188877.tif 000008
【図６】
2018188877.tif 000009
【図７】
2018188877.tif 000010
【図８】
2018188877.tif 000011
【図９Ａ】
2018188877.tif 000012
【図９Ｂ】
2018188877.tif 000013
【図９Ｃ】
2018188877.tif 000014
【図１０】
2018188877.tif 000015
【図１１】
2018188877.tif 000016
【図１２Ａ】
2018188877.tif 000017
【図１２Ｂ】
2018188877.tif 000018
【図１３】
2018188877.tif 000019
【図１４】
2018188877.tif 000020